(57)【要約】【課題】  コスト低減を図るため、薄い金属板を用いながら優れた構造強度をもたらす補強片を形成したコンセントボックス口用蓋を提供する。【解決手段】  床パネル１のパネル外周縁11を凹ませて形成されたコンセントボックス口２を閉蓋するため、このコンセントボックス口２の開口内周に形成された低段面21へ着脱自在に載置するコンセントボックス口用蓋３において、このコンセントボックス口用蓋３は金属板製の平面部31及び外補強片333からなり、外補強片333は平面部31の外平面部33を折り返してこの外平面部33に重ねあわせた外接面部332より下方に折り曲げて形成したコンセントボックス口用蓋３である。【選択図】  図３
2006124937.tif 000002
【特許請求の範囲】
【請求項１】
床パネルのパネル外周縁を凹ませて形成されたコンセントボックス口を閉蓋するため、該コンセントボックス口の開口内周に形成された低段面へ着脱自在に載置するコンセントボックス口用蓋において、該コンセントボックス口用蓋は金属板製の平面部及び補強片からなり、補強片は平面部の一部を折り返して該平面部に重ねあわせた接面部より下方に折り曲げて形成したことを特徴とするコンセントボックス口用蓋。
【請求項２】
平面部は、コンセントボックス口の平面視外形に倣った内縁を含み、低段面に載る内平面部と、コンセントボックス口の平面視外形に倣った側縁を含み、低段面に載る側平面部と、床パネルのパネル外周縁に連続する外縁を含み、低段面に載らない外平面部とからなり、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片であり、前記外接面部と内平面部又は側平面部との段差を補うため、内平面部の内縁に相当する内折返線を越えて張り出す内接面部を、前記内折返線を軸として下方に折り返して内平面部に重ねあわせた請求項１記載のコンセントボックス口用蓋。
【請求項３】
平面部は、コンセントボックス口の平面視外形に倣った内縁を含み、低段面に載る内平面部と、コンセントボックス口の平面視外形に倣った側縁を含み、低段面に載る側平面部と、床パネルのパネル外周縁に連続する外縁を含み、低段面に載らない外平面部とからなり、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片であり、前記外接面部と内平面部又は側平面部との段差を補うため、内平面部又は側平面部を下方に段押しして外接面部と面一な内接面部又は側接面部を形成した請求項１記載のコンセントボックス口用蓋。
【請求項４】
平面部は、コンセントボックス口の平面視外形に倣った内縁を含み、低段面に載る内平面部と、コンセントボックス口の平面視外形に倣った側縁を含み、低段面に載る側平面部と、床パネルのパネル外周縁に連続する外縁を含み、低段面に載らない外平面部とからなり、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片と、内平面部の内縁に相当する内折返線を越えて張り出す内接面部を、前記内折返線を軸として下方に折り返して内平面部に重ねあわせ、更に低段面内周に収まる幅で内接面部を下方に折り曲げて形成した内補強片とである請求項１記載のコンセントボックス口用蓋。
【請求項５】
内補強片は、低段面内周に略接面する位置から内接面部を下方に折り曲げて形成した請求項４記載のコンセントボックス口用蓋。
【請求項６】
平板部は、内平面部の内縁、外平面部の外縁、そして両側平面部の両側縁により形成される平面視外形が点対称形状であり、内平面部を低段面に載せた状態から平板部を180度水平回転させて外平面部を低段面に載せた状態で、外補強片が低段面内周に略接面する位置から外接面部を下方に折り曲げて該外補強片を形成した請求項２〜４いずれか記載のコンセントボックス口用蓋。
【請求項７】
平面部は、重ねあわせた内平面部及び内接面部を一体に切り欠いて内通線口を形成した請求項２又は４いずれか記載のコンセントボックス口用蓋。
【請求項８】
平面部は、段押しした内平面部を切り欠いて内通線口を形成した請求項３記載のコンセントボックス口用蓋。
【発明の詳細な説明】
【技術分野】
【０００１】
本発明は、床パネルのパネル外周縁を凹ませて形成されたコンセントボックス口を閉蓋するため、該コンセントボックス口の開口内周に形成された低段面へ着脱自在に載置するコンセントボックス口用蓋に関する。
【背景技術】
【０００２】
フリーアクセス床は、複数の床パネルを支持脚により基礎床面から所定間隔で浮かせた状態に並設して構築する。床パネルと基礎床面との間の床下空間には、電源ケーブル又は通信ケーブルを配設する。この電源ケーブル又は通信ケーブルを引き出すため、使用する床パネルの一部又は全部に、パネル外周縁を凹ませてコンセントボックス口を形成した床パネルが用いられる。コンセントボックス口は、コンセントボックスを嵌め込む大きさ又は形状で、通常コンセントボックス口の開口内周に形成した低段面へ着脱自在に載置されるコンセントボックス口用蓋で閉蓋する。コンセントボックス口用蓋には、コンセントボックス口を閉蓋した状態で電源ケーブル又は通信ケーブルを引き出す通線口を設けることもある。
【０００３】
特許文献１は、一枚の金属板を折り曲げて平面部（上面部）と補強片（側平面部）とを形成した断面Ｌ字状のコンセントボックス口用蓋を提案している。平面部は、一端が内縁まで延びる二本のスリットに挟まれた覆蓋部を形成しており、この覆蓋部を下方に折り曲げることで通線口を適宜形成できるようにしている。また、特許文献２は、低段面（落込段部）で塞がれる通線口（孔又は切欠）を平面部（平板体の面板）に設け、前記通線口が床下空間と通ずるよう位置を変えてコンセントボックス口に取付け可能にしたコンセントボックス口用蓋を提案している。補強片に代えて、平面部に相似な外形の膨出部（リブ）を下方に向けて突出している。
【０００４】
【特許文献１】特開2000-240263号公報（２頁〜４頁、図１〜図４）
【特許文献２】実用新案登録第2569387号公報（２頁〜３頁、図１及び図４、図16及び図17）
【発明の開示】
【発明が解決しようとする課題】
【０００５】
特許文献１のコンセントボックス口用蓋の補強片は、平面部から連続する金属板の折り曲げに過ぎない。ここで、コンセントボックス口用蓋の材料となる金属板は、コスト低減等の観点から薄いほど好ましいとされているから、特許文献１のコンセントボックス口用蓋の補強片では、構造的に十分な強度を確保できない。また、このコンセントボックス口用蓋部は、通線口を形成する際に折り曲げると強度低下を来し、疲労破壊により千切れてしまうことがある。このコンセントボックス口用蓋部が千切れた通線口は、バリが発生して引き出す電源ケーブル又は通信ケーブル（以下、ケーブル等）を傷めやすいし、塞ぐことのできない通線口が常時開口してしまうため、ハイヒールの踵が嵌まり込む問題をもたらす。
【０００６】
特許文献２のコンセントボックス口用蓋は、予め加工した通線口を設けているのでバリの問題は発生せず、また通常低段面によって塞いでおくことができるので、ハイヒールの踵が嵌まり込む問題を回避できる利点がある。しかし、特許文献２のコンセントボックス口用蓋は、例えば樹脂又はアルミダイキャスト製の一体構造のため、補強片に相当する膨出部を形成することができるが、コスト低減等の観点から金属板を用いる場合には、こうした膨出部を実質的に形成できない問題がある。
【０００７】
そこで、コスト低減を図るため、金属板の折り曲げ加工によってコンセントボックス口用蓋を製造することとし、薄い金属板を用いながら優れた構造強度をもたらす補強片を形成したコンセントボックス口用蓋を得るため、検討した。
【課題を解決するための手段】
【０００８】
検討の結果開発したものが、床パネルのパネル外周縁を凹ませて形成されたコンセントボックス口を閉蓋するため、このコンセントボックス口の開口内周に形成された低段面へ着脱自在に載置するコンセントボックス口用蓋において、このコンセントボックス口用蓋は金属板製の平面部及び補強片からなり、補強片は平面部の一部を折り返してこの平面部に重ねあわせた接面部より下方に折り曲げて形成したコンセントボックス口用蓋である。これにより、補強片は必ず平面部の縁部から内寄りに偏った平面部直下から下方に折り曲げて形成することになり、この補強片を形成した部位における断面係数を高めることができる。
【０００９】
具体的には、平面部は、コンセントボックス口の平面視外形に倣った内縁を含み、低段面に載る内平面部と、コンセントボックス口の平面視外形に倣った側縁を含み、低段面に載る側平面部と、床パネルのパネル外周縁に連続する外縁を含み、低段面に載らない外平面部とからなり、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片であり、前記外接面部と内平面部又は側平面部との段差を補うため、内平面部の内縁に相当する内折返線を越えて張り出す内接面部を、前記内折返線を軸として下方に折り返して内平面部に重ねあわせた構成のコンセントボックス口用蓋を示すことができる。
【００１０】
上記平面部の内平面部は内縁（＝パネル外周縁の直交方向内向きにあり、パネル外周縁と平行な周縁）を含む平面部の部分を、外平面部は外縁（＝パネル外周縁の直交方向外向きにあり、パネル外周縁と平行な周縁）を含む平面部の部分を、そして側平面部は側縁（＝パネル外周縁の直交方向を向いた周縁）を含む平面部の部分を、それぞれ意味する。これら内平面部、側平面部及び外平面部は機能的な区分けであり、物理的又は構造的に明確な区分けはなく、内平面部、側平面部及び外平面部全部が一体となって一つの平面部を構成する。具体的な平面部としては、内平面部の内縁、外平面部の外縁、そして両側平面部の両側縁がそれぞれ直線である平面視略四辺形である平面部を示すことができる。
【００１１】
また、外接面部と外平面部との「重ねあわせ」とは、例えば外平面部と折り返した外接面部とが略平行で、前記外平面部の上面と折り返した外接面部の下面との間隔がコンセントボックス口の開口内周に形成した低段面の深さに略等しくなっている構造を意味する。通常、外平面部及び外接面部は低段面の１/２以下の同じ板厚になり、外平面部及び外接面部の板厚が低段面の深さの１/２に等しければ外平面部及び外接面部は密着し、外平面部及び外接面部の板厚が低段面の深さの１/２より薄ければ外平面部及び外接面部は足りない厚みの隙間を設けて平行になる。この重ねあわせの構造は、内平面部及び内接面部についても同様である。これにより、本発明のコンセントボックス口用蓋は、床パネルとを面一に揃えることができる。
【００１２】
このコンセントボックス口用蓋は、外補強片が外平面部における断面係数を高める働きを有する。また、外接面部と内平面部又は側平面部との段差を補うため、内平面部に重ねあわせた内接面部も、断面係数も高められている。ここで、外補強片は、低段面内周に収まる幅で外接面部から折り曲げて形成しているので、外補強片の幅と低段面内周の間隔とを一致させると、外補強片をパネル外周縁の延在方向に対する位置決め部材として使用できる。また、外補強片は、断面係数を高める観点から外接面部の直交方向下向きに折り曲げ、できるだけ長くするとよい。しかし、床パネルの底面から突出する長さになると、例えば床パネル相互の重ね合わせの際に上段の床パネルに装着したコンセントボックス口用蓋の外補強片が下段の床パネル等に接触し、傷つける虞れがある。このため、外補強片は、下端が床パネルの底面より若干上になる長さが好ましい。
【００１３】
本発明は、上記コンセントボックス口用蓋以外にも構成できる。すなわち、平面部は上述と同じくしながら、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片であり、前記外接面部と内平面部又は側平面部との段差を補うため、内平面部又は側平面部を下方に段押しして外接面部と面一な内接面部又は側接面部を形成した構成や、補強片は外平面部の外縁に相当する外折返線を越えて張り出す外接面部を、前記外折返線を軸として下方に折り返して外平面部に重ねあわせ、更に低段面内周に収まる幅で外接面部を下方に折り曲げて形成した外補強片と、内平面部の内縁に相当する内折返線を越えて張り出す内接面部を、前記内折返線を軸として下方に折り返して内平面部に重ねあわせ、更に低段面内周に収まる幅で内接面部を下方に折り曲げて形成した内補強片とである構成でもよい。
【００１４】
内補強片は、低段面内周に収まる幅で内接面部を下方に折り曲げて形成しているので、外補強片の幅と低段面内周の間隔とを一致させると、内補強片をパネル外周縁の延在方向に対する位置決め部材として使用できる。更に、上記内補強片を形成したコンセントボックス口用蓋では、低段面内周に略接面する位置から内接面部を下方に折り曲げて内補強片を形成すると、内補強片をパネル外周縁の延在直交方向に対する位置決め部材として使用できる。これら内補強片は、上述の外補強片で説明したところに基づき、下端が床パネルの底面より若干上になる長さにすることが好ましい。
【００１５】
コンセントボックス口用蓋は、通常ケーブル等を挿通する通線口を設ける。この通線口は、コンセントボックス口の開口内周に形成された低段面で全部又は一部が塞がれる大きさ又は形状で内平面部に設ければ、内平面部を低段面に載せた状態では塞がれ、外平面部を低段面に載せた状態で初めて通線できるようになる。こうした通線口を実現するコンセントボックス口用蓋の平板部は、内平面部の内縁、外平面部の外縁、そして両側平面部の両側縁により形成される平面視外形が点対称形状であり、内平面部を低段面に載せた状態（以下、通常状態）から平板部を180度水平回転させて外平面部を低段面に載せた状態（以下、通線状態）で、外補強片が低段面内周に略接面する位置から外接面部を下方に折り曲げてこの外補強片を形成するとよい。これにより、外補強片をパネル外周縁の延在直交方向に対する位置決め部材として使用できる。
【００１６】
通常状態及び通線状態を切り替えるコンセントボックス口用蓋の平面部は、重ねあわせた内平面部及び内接面部を一体に切り欠いて通線口を形成するとよい。この場合の平面部は、内平面部の内縁、外平面部の外縁、そして両側平面部の両側縁がそれぞれ直線である平面視略四辺形とし、平面視外形を点対称形状にすることができる。より具体的には、内接面部を折り返す前の内平面部及び内接面部が同一平面上にある段階で内平面部の内縁に相当する内折返線を跨いで内平面部及び内接面部を打ち抜いて開孔を形成し、この開孔の上周縁を面取りした後、内接面部を前記内折返線を軸として下方に折り返して内平面部に重ねあわせることにより、内平面部から内接面部にわたって折り返した閉環状の面取り周縁を形成した通線口にするとよい。開孔の上周縁だけを面取りすれば、通線口として上下共に面取りされることになり、この通線口を通じて引き出す電源ケーブル又は通信ケーブルが傷付くことを防止できる。前記開孔の上周縁の面取りは、開孔を形成するプレス加工によって同時に形成できる。
【００１７】
また、通常状態及び通線状態を切り替えるコンセントボックス口用蓋の平面部は、段押しした内平面部を切り欠いて内通線口を形成してもよい。この場合の平面部は、内平面部の内縁、外平面部の外縁、そして両側平面部の両側縁がそれぞれ直線である平面視略四辺形として、平面視外形を点対称形状にできる。また、通常状態及び通線状態を切り替えない平面部であれば、内平面部の内縁と両側平面部の両側縁とが連続する円弧又は楕円弧で、外平面部の外縁が直線の平面視略扇形にしてもよい。このほか、コンセントボックス口用蓋の平面部は、重ねあわせた外平面部及び外接面部を一体に切り欠いて通線口を形成してもよい。この場合、好ましい通線口は、外接面部を折り返す前の外平面部及び外接面部が同一平面上にある段階で外平面部の外縁に相当する外折返線を跨いで外平面部及び外接面部を打ち抜いて開孔を形成し、この開孔の上周縁を面取りした後、外接面部を前記外折返線を軸として下方に折り返して外平面部に重ねあわせることにより、外平面部から外接面部にわたって折り返した閉環状の面取り周縁を形成する。
【発明の効果】
【００１８】
本発明により、平面部直下に補強片を形成することにより、平面部の断面係数を高めることができ、コスト低減のためにより薄い金属板を使用しながら、高い構造強度を有するコンセントボックス口用蓋を提供できる効果を有する。また、補強片を形成するために平面部及び接面部を重ね合わせることにより、低段面の段差より薄い金属板から作るコンセントボックス口用蓋であっても、平面部の表面を床パネルの表面に略面一にすることができる効果がある。このほか、重ねあわせた内平面部及び内接面部に形成した通線口は、内平面部における構造強度の低下を招かずに済むほか、一度のプレス加工等によって上下に連続する面取りを施した通線口を形成でき、引き出す電源ケーブル又は通信ケーブルを傷つけずに済む効果がある。
【発明を実施するための最良の形態】
【００１９】
以下、本発明の実施形態について図を参照しながら説明する。図１は本発明のコンセントボックス口用蓋３と床パネル１との関係を表した斜視図、図２はコンセントボックス口用蓋３を標準状態で低段面21に載置した床パネル１の平面図、図３は図２中Ａ−Ａ拡大断面図、図４は図２中Ｂ−Ｂ拡大断面図、図５はコンセントボックス口用蓋３を通線状態で低段面21に載置した床パネル１の平面図、図６は図５中Ｃ−Ｃ拡大断面図、図７はコンセントボックス口用蓋３の（イ）表側から見た斜視図及び（ロ）裏側から見た斜視図、図８及び図９はコンセントボックス口用蓋３,３の異なる利用態様を表す斜視図であり、図10はコンセントボックス口用蓋３の内通線口325の形成手順を表す斜視図である。
【００２０】
本例の床パネル１は平面視正方形で、図１に見られるように、パネル外周縁11のうち対向する二辺に、コンセントボックス等を取り付けるコンセントボックス口２を設けている。コンセントボックス口２は、装着するコンセントボックス等に合わせて、大きさ又は形状を自由に設定できる。本例のコンセントボックス口２は、パネル外周縁11の延在方向の長さに対し、パネル外周縁11の延在直交方向の幅が約半分の大きさからなる平面視略長方形である。これにより、隣接する床パネル１,１を互いのコンセントボックス口２が突き合わさる位置関係で並べると、両コンセントボックス口２,２により平面視略正方形の開口が形成できる。これは、設置できるコンセントボックスの大きさを選択できる使用上の利点をもたらしている。低段面21は、コンセントボックス口２の開口内周に沿って下がって形成されるフランジで、前記開口内周から一定幅で形成している。このコンセントボックス口２は、コンセントボックス等を取り付けない場合、コンセントボックス口用蓋３を低段面21に載置して塞いでいる。
【００２１】
本例のコンセントボックス口用蓋３は、図２に見られるように、平面部31と外補強片333とからなる。平面部31は、内縁321を含む内平面部32と、外縁331を含む外平面部33と、そして側縁341,341を含む側平面部34,34とに分けることができる。外接面部332は、図３に見られるように、外平面部33の外折返線に相当する外縁331を越えて張り出す部分で、外平面部33から外縁331を外折り返し線として下方に折り返し、外平面部33の裏側に重ねあわせている。外補強片333は、前記外接面部332から低段面21の内周に収まる幅で、鉛直方向下向きに折り曲げて形成している。同様に、内接面部322は、内平面部32の内折返線に相当する内縁321を越えて張り出す部分で、内平面部32から内縁321を外折り返し線として下方に折り返し、内平面部32の裏側に重ねあわせている。内通線口325は、重ねあわせた内平面部32及び内接面部322を一体に切り欠いて形成している。
【００２２】
内通線口325は、図６、図７及び図10に見られるように、重ね合わせた内平面部32及び内接面部322を一体に切り欠いた馬蹄形の開孔である。本例の内通線口325は、内平面部32から内接面部322にわたって折り返した閉環状の面取り周縁327を形成している。この面取り周縁327を形成した内通線口325は、後述するように、内通線口325となる長孔（開孔）326をプレス押圧により打ち抜いて形成する際に、同時に形成している。この面取り周縁327は、内通線口325に通線したケーブルが擦れ合いにより損傷することを防止する。
【００２３】
内平面部32は、図２に見られるように、内接面部322を介して低段面21に載置される。これに対し、外平面部33は低段面21に載置されない。このため、重ねあわせた外平面部33及び外接面部332、そして前記外接面部332から降ろした外補強片333からなる構造により、断面係数を高めて、例えばコンセントボックス口用蓋３に荷重が加わった際の外平面部33の撓みを抑制する。外補強片333は、図３に見られるように、床パネル１の厚みより幾分小さい長さにし、例えばコンセントボックス口用蓋３を装着した床パネル１を重ねたときに、上段床パネル１のコンセントボックス口用蓋３における外補強片333が下段の床パネル１に接触させないようにすることが望ましい。
【００２４】
また、本例の外補強片333は、下方に折り返して外平面部33の裏側に重ねあわせた外接面部332から更に下方へ折り曲げて形成しているので、パネル外周縁11の直交方向に外縁331から幾分内側（外縁331から遠ざかる側）に寄っている。そして、外接面部332の両端は低段面21に載置されているので、外補強片333上に加えられる荷重は低段面21を介して効率よく床パネル１に伝達できる。これらにより、コンセントボックス口用蓋３単体の撓みが抑制される効果が得られ、使用金属板の薄板化による低コスト化も可能となる。
【００２５】
本例のコンセントボックス口用蓋３は、床パネル１に対する安定した載置を実現するため、側平面部34,34から切り起こした一対の突起342,342を下方に向けて突出させている。この突起342,342は、図４に見られるように、下方に向けて徐変に広がる「ハ」の字状の関係となるように、それぞれパネル外周縁11の延在方向に傾斜させている。これにより、コンセントボックス口用蓋３は、前記一対の突起342,342を低段面21の内周に係合させて、低段面21に対する浮き上がりを防止し、コンセントボックス口２に対するコンセントボックス口用蓋３の載置安定性を高めている。このとき、突起342の先端は先細りとなるように外側面を傾斜面に形成しておいて、コンセントボックス口２への圧入作業を容易にするとよい。また、コンセントボックス口用蓋３に対する位置決めの働きを突起342,342に付与するため、この突起342,342に対応した一対の係合凹部（後掲図16〜図18参照）を低段面21の内周に形成し、突起342,342を係合させてもよい。
【００２６】
本例の平面部31は、内平面部32の内縁321、外平面部33の外縁331、そして両側平面部34,34の両側縁341,341がそれぞれ直線である平面視略四辺形で、点対称形状になっている。これにより、コンセントボックス口用蓋３のコンセントボックス口２に対する取付状態は、内通線口325,325を設けた内平面部32と、通線口のない外平面部33との位置を入れ替えることにより、標準状態及び通線状態を選択できる。本例のコンセントボックス口用蓋３は、馬蹄形の内通線口325,325を内平面部32に左右対称で2箇所設けている。ここで、内通線口325は、直径13mmのケーブルC１を引き出すことができれば必要十分であることから、幅及び奥行き共に15mm程度を目安とする。この内通線口325は、当然内平面部32に対して段差を形成するが、通常床パネル１の表面に貼着されるカーペット等 からなる表面仕上げ材（図示省略）に覆われるため、特に段差が問題になることはない。更に、この内通線口325は、図２に見られるように、外平面部33と床パネル１のパネル外周縁11とが同一線上に揃っている標準状態では、両内通線口325は低段面21でほぼ塞がれた状態になっている。ここで、内通線口325,325の奥行きが大きくなると、低段面21を越えて内通線口325が突出し、カーペット等で覆われただけの部分ができる。この場合、低段面21からの内通線口325の突出長さは、ハイヒールの踵がカーペット等を破って落ち込む危険性がないように、８mm以下に抑えるとよい。
【００２７】
コンセントボックス口用蓋３の通線状態では、図５に見られるように、コンセントボックス口用蓋３を標準状態（図２参照）から水平面内で180度回転させ、コンセントボックス口用蓋３の内通線口325を形成した内平面部32の内縁321と床パネル１のパネル外周縁11とを同一線上に揃えて、外平面部33と両側平面部34,34を低段面21に載置する。これにより、図６に見られるように、低段面21から外れた両内通線口325,325は完全に開放され、直径13mmのケーブルＣ1を挿通できるようになる。ここで、本例の外補強片333は、この通線状態でも低段面21の内周に収まる幅で形成されており、更に図６に見られるように、低段面21の内周に略接面する位置から外接面部332を下方に折り曲げて形成している。このため、外補強片333は、コンセントボックス口用蓋３を通線状態に取り付ける際、パネル外周縁11の延在方向及び直交方向に対するコンセントボックス口用蓋３の位置決め部材として利用できる。
【００２８】
本例では、外平面部33がパネル外周縁11に揃う標準状態と、内通線口325を形成した内平面部32がパネル外周縁11に揃う通線状態とを選択して、コンセントボックス口用蓋３をコンセントボックス口２の低段面21に載置できる。ここで、低段面21にコンセントボックス口用蓋３を載置してコンセントボックス口２を閉蓋した標準状態又は通線状態のいずれでも、コンセントボックス口用蓋３の表面は水平で、しかも床パネル１の表面と面一に揃うことが望ましい。ところが、床パネル１の表面に対する低段面21の深さは、取り付けるコンセントボックス等の要求から比較的深く、通常５mm程度である。これに対し、コンセントボックス口用蓋３は、薄い金属板を用いても必要強度を満足できることから、実用上２mm強（例えば2.3mm程度）の板厚の金属板から作ることができる。この場合、前記板厚の金属板をそのまま平面部31に用いると、コンセントボックス口用蓋３の表面が床パネル１の表面に対して低くなってしまう問題が生ずる。本発明は、外平面部33及び外接面部332の重ねあわせと、そして内平面部32及び内接面部322の重ねあわせとにより、前記問題を解消している。ここで、コンセントボックス口用蓋３を2.3mmの板厚の金属板から作っていた場合、外平面部33及び外接面部332、そして内平面部32及び内接面部322は、それぞれ0.4mmの隙間を残して重ねあわせれば、低段面21の深さ５mmに等しくなる。
【００２９】
本例のコンセントボックス口用蓋３は、内通線口325を低段面21で塞ぐ標準位置での載置、平面部31を水平面内で180度反転させて内通線口325を低段面21から開放する通線位置での載置、そしてコンセントボックス口２からの除去の３態様を選択して使用しうる。ここで、通常のフリーアクセス床は、図８に見られるように、床パネル１,１の両コンセントボックス口２,２同士を突き合わせながら敷設する。これから、前記コンセントボックス口用蓋３の使用態様は、突き合わさった一対のコンセントボックス口用蓋３,３の各３態様の組み合わせで増える。
【００３０】
通常のフリーアクセス床では、図８に見られるように、床パネル１,１相互は、コンセントボックス口２,２同士を突き合わせながら、敷設する。この場合、一方の床パネル１のコンセントボックス口用蓋３（図８中手前側）を通線状態とし、他方のコンセントボックス口用蓋３（図８中手奥側）を標準状態とすれば、一方のコンセントボックス口用蓋３の内通線口325は他方のコンセントボックス口用蓋３の外縁331に接した状態で開口する。この内通線口325は、例えば直径13mmのテーブルタップ用ケーブルＣ1を１本通線できる。これに対し、両コンセントボックス口用蓋３,３が共に通線状態にあれば、図９に見られるように、両コンセントボックス口用蓋３,３の内通線口325,325同士が突き合わさって、実質２倍の大きさで開口する。この繋がった内通線口325,325は、直径13mmのテーブルタップ用ケーブルＣ1を２本通せるほか、直径６mmの同軸ケーブルＣ2を８本通すことができる（図示は２本のみ）。
【００３１】
本例のコンセントボックス口用蓋３は、上述した通り、内通線口325に、内平面部32から内接面部322にわたって表裏に折り返した閉環状の面取り周縁327を形成している（図６及び図７参照）。通常、金属板を切り欠いて形成した通線口の場合、前記面取り周縁327のような面取りを施すには、前記切り欠いて形成した通線口の上周縁及び下周縁をそれぞれ個別にプレス押圧しなければならず、製造工程を煩雑にする問題があった。これに対し、本発明は、内通線口325となる長孔（開孔）326の形成と同時に面取り周縁327を形成する。この面取り周縁327を同時成形する内通線口325の形成手順を、図10に示す。内接面部322を折り返す前の内平面部32及び内接面部322が同一平面上にある段階で内平面部32の内縁321に相当する内折返線を跨いで内平面部32及び内接面部322をプレス押圧により打ち抜いて長孔326を形成し、同時にこの長孔326の上周縁を面取りした後に、内接面部322を前記内折返線（BL＝ベンドライン）を軸として下方に折り返して内平面部32に重ねあわせることで、内平面部32から内接面部322にわたって表裏に折り返した閉環状の面取り周縁327を形成した内通線口325を作ることができる。
【００３２】
図11は別例のコンセントボックス口用蓋３の斜視図、図12は別例のコンセントボックス口用蓋３を標準状態で低段面21に載置した床パネル１の平面図、図13は図12中Ｄ−Ｄ拡大断面図、図14は別例のコンセントボックス口用蓋３を通線状態で低段面21に載置した床パネル１の平面図で、図15は図14中Ｅ−Ｅ拡大断面図である。本例のコンセントボックス用蓋３は、基本的には上述の例と構造及び構成は同じであるが、外補強片333を形成した外平面部33及び外接面部332の重ねあわせと同じ構成を有する内平面部32及び内接面部322の重ね合わせを利用して、更に内補強片323を形成している。
【００３３】
コンセントボックス口用蓋３としての構造強度を高めるには、例えば図11及び図13に見られるように、外補強片333に加え、内接面部から下方に折り曲げた内補強片323を形成するとよい。内補強片323は、内通線口325により強度低下を免れない内平面部32の補強に好ましい。この場合、図12及び図13に示す標準状態において、内補強片323が低段面21の内周に略接面する位置から内接面部322を下方に折り曲げて形成すると共に、低段面21の内周に収まる幅で形成すれば、内補強片323は、コンセントボックス口用蓋３を標準状態で取り付ける際のパネル外周縁11の延在方向及び直交方向に対する位置決め部材として機能する。また、図14及び図15に示す通線状態において、低段面21に載置されない内平面部32を内補強片323が補強できる点は大きな利点となる。この内補強片323は、内通線口325に近接していることから、内通線口325に通線するケーブルＣ1が内補強片323下縁に擦れて傷付かないように、内補強片323下端を上方へ折り返してカール部324を形成している。カール部324に代えて内補強片323下端を面取りすることも考えられるが、カール部324の滑らかな曲面の方がケーブルＣ1を傷つけにくく、安全性が高い。
【００３４】
図16は、別例のコンセントボックス口用蓋３を標準状態で低段面21に載置した床パネル１の平面図、図17は図16中Ｆ−Ｆ拡大断面図であり、図18は別例のコンセントボックス口用蓋３を通線状態で低段面21に載置する際の位置関係を表した床パネル１の斜視図である。本例のコンセントボックス口用蓋３は、外平面部33及び外接面部332を重ねあわせて外補強片333を形成する構成は上述の例と同じであるが、平面視外形が内平面部32の内縁321と両側平面部34,34の両側縁341,341とが連続する円弧で、外平面部33の外縁331が直線の平面視略半円形であり、連続する内平面部32から側平面部34,34の一部にかけて、その周辺を下方に段押しして外接面部332と面一な内接面部328又は側接面部343,343を形成している。
【００３５】
本例のコンセントボックス口用蓋３は、図16〜図18に見られるように、平面視外形が略半円形であるため、水平面内で反転させて標準状態及び通線状態を使い分けることはできない。このため、段押しした内接面部328に形成する内通線口325は、低段面21を越える奥行きを有する大きさで、常態として直径13mmのケーブルＣ1が１本挿通できる程度に開口している。また、本例のコンセントボックス口用蓋３にも、側平面部から切り起こした一対の突起342,342を下方に向けて突出させている。本例の突起342,342は、上述の例における載置安定性の向上の働きを有しているが、前記働き以外に、位置決めの働きの意味合いが大きい。このため、突起342に対応した一対の係合凹部211,211を低段面21の内周に形成し、突起342,342を係合させている。
【図面の簡単な説明】
【００３６】
【図１】本発明のコンセントボックス口用蓋と床パネルとの関係を表した斜視図である。
【図２】コンセントボックス口用蓋を標準状態で低段面に載置した床パネルの平面図である。
【図３】図２中Ａ−Ａ拡大断面図である。
【図４】図２中Ｂ−Ｂ拡大断面図である。
【図５】コンセントボックス口用蓋を通線状態で低段面に載置した床パネルの平面図である。
【図６】図５中Ｃ−Ｃ拡大断面図である。
【図７】コンセントボックス口用蓋の（イ）表側から見た斜視図及び（ロ）裏側から見た斜視図である。
【図８】コンセントボックス口用蓋の異なる利用態様を表す斜視図である。
【図９】コンセントボックス口用蓋の異なる利用態様を表す斜視図である。
【図１０】コンセントボックス口用蓋の内通線口の形成手順を表す斜視図である。
【図１１】別例のコンセントボックス口用蓋の斜視図である。
【図１２】別例のコンセントボックス口用蓋を標準状態で低段面に載置した床パネルの平面図である。
【図１３】図12中Ｄ−Ｄ拡大断面図である。
【図１４】別例のコンセントボックス口用蓋を通線状態で低段面に載置した床パネルの平面図である。
【図１５】図14中Ｅ−Ｅ拡大断面図である。
【図１６】別例のコンセントボックス口用蓋を標準状態で低段面に載置した床パネルの平面図である。
【図１７】図16中Ｆ−Ｆ拡大断面図である。
【図１８】別例のコンセントボックス口用蓋を通線状態で低段面に載置する際の位置関係を表した床パネルの斜視図である。
【符号の説明】
【００３７】
１  床パネル
11  パネル外周縁
２  コンセントボックス口
21  低段面
３  コンセントボックス口用蓋
31  平面部
32  内平面部
321  内縁
322  内接面部
323  内補強片
325  内通線口
327  面取り周縁
328  内接面部
33  外平面部
331  外縁
332  外接面部
333  外補強片
34  側平面部
341  側縁
343  側接面部
C1  直径13mmのケーブル
C2  直径６mmのケーブル
【図１】
2006124937.tif 000003
【図２】
2006124937.tif 000004
【図３】
2006124937.tif 000005
【図４】
2006124937.tif 000006
【図５】
2006124937.tif 000007
【図６】
2006124937.tif 000008
【図７】
2006124937.tif 000009
【図８】
2006124937.tif 000010
【図９】
2006124937.tif 000011
【図１０】
2006124937.tif 000012
【図１１】
2006124937.tif 000013
【図１２】
2006124937.tif 000014
【図１３】
2006124937.tif 000015
【図１４】
2006124937.tif 000016
【図１５】
2006124937.tif 000017
【図１６】
2006124937.tif 000018
【図１７】
2006124937.tif 000019
【図１８】
2006124937.tif 000020